(57)【要約】【課題】アナログ網を経由してＩＰ網からＩＰ網へデータパケットとして音声データや映像データを中継する場合であっても、音声データや映像データの伝送品質やパケットロスを測定することを課題とする。【解決手段】伝送品質測定装置２０は、伝送品質測定装置１０から試験パケットを受信すると、試験パケットのペイロードから音声データを抽出するとともに、抽出した音声データを予め設定された所定の制限量までキューイングする。そして、キューイングされた音声データが所定の制限量に到達した場合には、キューイングした音声データをアナログ信号に変換して、予め記憶している基準データ（例えば、信号データ）に基づいて、基準データに対応する部分を切り出す。音声データの切り出し後、切り出した音声データと、これに対応する基準データとを比較して伝送品質を測定する。【選択図】        図２
2008167071.tif 000002
【特許請求の範囲】
【請求項１】
ネットワークを介して受信されたデータパケットに含まれる音声データあるいは映像データの伝送品質を測定する伝送品質測定装置であって、
前記データパケットに含まれる音声データあるいは映像データの基準データを記憶する基準データ記憶手段と、
前記基準データを用いて生成されたデータパケットを受信するデータパケット受信手段と、
前記データパケット受信手段により前記データパケットを受信した場合に、当該データパケットに格納されている音声データあるいは映像データを蓄積するデータ蓄積手段と、
前記基準データ記憶手段により記憶されている前記基準データに基づいて、前記データ蓄積手段により蓄積されている音声データあるいは映像データの中から、当該基準データに対応したデータ領域を特定するデータ特定手段と、
前記データ特定手段により特定された前記データ領域に対応する音声データあるいは映像データと、前記基準データ記憶手段により記憶されている前記基準データとを比較して、当該音声データあるいは映像データの伝送品質を測定する伝送品質測定手段と、
を備えたことを特徴とする伝送品質測定装置。
【請求項２】
各音声データあるいは各映像データを含んだデータパケットの送信順序を示す送信順序情報を記憶する送信順序情報記憶手段と、
前記データ特定手段により特定された前記データ領域に対応する音声データあるいは映像データと、前記送信順序情報記憶手段により記憶されている前記送信順序情報とに基づいて、前記データパケットの欠落部分を検出する欠落部分検出手段をさらに備えたことを特徴とする請求項１に記載の伝送品質測定装置。
【請求項３】
前記データ特定手段により特定された前記データ領域に対応する音声データと、前記基準データ記憶手段により記憶されている前記基準データとの差を検出する検出手段をさらに備えたことを特徴とする請求項１に記載の伝送品質測定装置。
【請求項４】
ネットワークを介して受信されたデータパケットに含まれる音声データあるいは映像データの伝送品質を測定する伝送品質測定方法であって、
前記データパケットに含まれる音声データあるいは映像データの基準データを記憶部に記憶する基準データ記憶工程と、
前記基準データを用いて生成されたデータパケットを受信するデータパケット受信工程と、
前記データパケット受信工程により前記データパケットを受信した場合に、当該データパケットに格納されている音声データあるいは映像データを蓄積するデータ蓄積工程と、
前記基準データ記憶工程により記憶部に記憶されている前記基準データに基づいて、前記データ蓄積工程により蓄積されている音声データあるいは映像データの中から、当該基準データに対応したデータ領域を特定するデータ特定工程と、
前記データ特定工程により特定された前記データ領域に対応する音声データあるいは映像データと、前記基準データ記憶工程により記憶部に記憶されている前記基準データとを比較して、当該音声データあるいは映像データの伝送品質を測定する伝送品質測定工程と、
を含んだことを特徴とする伝送品質測定方法。
【請求項５】
ネットワークを介して、第一の伝送品質測定装置から音声データあるいは映像データを含んだデータパケットを送信し、第二の伝送品質測定装置において受信された当該データパケットに含まれる音声データあるいは映像データの伝送品質を測定する伝送品質測定システムであって、
前記第一の伝送品質測定装置は、
前記データパケットに含まれる音声データあるいは映像データの基準データを記憶する基準データ記憶手段と、
前記基準データ記憶手段により基準データとして記憶されている音声データあるいは映像データを用いて、前記データパケットを生成するデータパケット生成手段と、
前記データパケット生成手段により生成された前記データパケットを送信するデータパケット送信手段と、
を備え、
前記第二の伝送品質測定装置は、
前記データパケットに含まれる音声データあるいは映像データの基準データを記憶する基準データ記憶手段と、
前記第一の伝送品質測定装置から送信された前記データパケットを受信するデータパケット受信手段と、
前記データパケット受信手段により前記データパケットを受信した場合に、当該データパケットに格納されている音声データあるいは映像データを蓄積するデータ蓄積手段と、
前記基準データ記憶手段により記憶されている前記基準データに基づいて、前記データ蓄積手段により蓄積されている音声データあるいは映像データの中から、当該基準データに対応したデータ領域を特定するデータ特定手段と、
前記データ特定手段により特定された音声データあるいは映像データと、前記基準データ記憶手段により記憶されている前記基準データとを比較して、当該音声データあるいは映像データの伝送品質を測定する伝送品質測定手段と、
を備えたことを特徴とする伝送品質測定システム。
【発明の詳細な説明】
【技術分野】
【０００１】
この発明は、ネットワークを介して受信されたデータパケットに含まれる音声データあるいは映像データの伝送品質を測定する伝送品質測定装置、伝送品質を測定する伝送品質測定方法、およびネットワークを介して、第一の伝送品質測定装置から音声データあるいは映像データを含んだデータパケットを送信し、第二の伝送品質測定装置において受信された当該データパケットに含まれる音声データあるいは映像データの伝送品質を測定する伝送品質測定システムに関する。
【背景技術】
【０００２】
従来より、ネットワークを介して、音声データや映像データをパケットとして伝送する場合に、音声データや映像データの伝送品質を監視・測定する技術というものが存在する。例えば、特許文献１では、音声データパケット等の受信側で、バッファによるオーバーフローやアンダーフローの回数から音声データ等の劣化回数を推定することにより、受信者の実感する音声データ等の伝送品質を測定する技術が開示されている。
【０００３】
また、ＩＰ（Ｉｎｔｅｒｎｅｔ  Ｐｒｏｔｏｃｏｌ）網に配置された一方の伝送品質測定装置から、他方の伝送品質測定装置に音声データパケットや映像データパケットに擬似するデータパケットを送出して、他方の伝送品質測定装置が受信したパケットの特性から、音声データや映像データの伝送品質を測定する技術が存在する。なお、音声データの場合には、国際電気通信連合（Ｉｎｔｅｒｎａｔｉｏｎａｌ  Ｔｅｌｅｃｏｍｕｎｉｃａｔｉｏｎ  Ｕｎｉｏｎ：ＩＴＵ）のＩＴＵ標準、ＩＴＵ−Ｇ．１０７や、社団法人情報通信技術委員会（Ｔｅｌｅｃｏｍｕｎｉｃａｔｉｏｎ  Ｔｅｃｈｎｏｌｏｇｙ  Ｃｏｍｍｉｔｔｅｅ：ＴＴＣ）のＴＴＣ標準、ＪＪ−２０１．０１により伝送品質が算出され、映像データの場合には、同じく、ＩＴＵ−Ｔ．２４１（ＩＴＵ−Ｒ  ＢＴ．１７２０）に基づいて、伝送品質が算出されている。
【０００４】
【特許文献１】特開２００６−２６８１２４号公報
【発明の開示】
【発明が解決しようとする課題】
【０００５】
ところで、上記した伝送品質測定装置間で伝送品質の測定を実行する従来の技術は、アナログ網を経由する場合に、伝送品質やパケットロスを測定できないという問題があった。
【０００６】
すなわち、図１２に例示するように、一方の伝送品質測定装置から送信されたデータパケットは、アナログ網を経由してＩＰ網からＩＰ網へ中継された場合、アナログ網においてアナログ信号に変換された後、ＩＰ網で再パケット化されて他方の伝送品質測定装置に受信されるが、受信されたデータパケットがアナログ網を経由する前のデータパケットと必ずしも同一とならないため、送信されるデータパケットと受信されたデータパケットとをパケット単位で比較する従来の技術では、音声データや映像データの伝送品質を測定できないという問題があった。
【０００７】
また、ＩＰ網で再パケット化されて他方の伝送品質測定装置に受信されるデータパケットにおいて、各パケットに付与されたシーケンス番号の欠落や順序の入れ替わりなどが起こる場合があるため、シーケンス番号に基づいてパケットロスを測定している従来の技術では、パケットロスを検出できないという問題があった。
【０００８】
なお、受信されたデータパケットがアナログ網を経由する前のデータパケットと必ずしも同一とならないため、受信パケットに含まれる各音声データの間隔の肥大や受信パケットに含まれる音声データ成分自体の肥大である揺らぎを測定することができないという問題も生じていた。
【０００９】
そこで、本発明は、上述した従来技術の課題を解決するためになされたものであり、アナログ網を経由してＩＰ網からＩＰ網へデータパケットとして音声データや映像データを中継する場合であっても、音声データや映像データの伝送品質やパケットロスを測定することが可能な伝送品質測定装置、伝送品質測定方法および伝送品質測定システムを提供することを目的とする。
【課題を解決するための手段】
【００１０】
上述した課題を解決し、目的を達成するため、請求項１に係る発明は、ネットワークを介して受信されたデータパケットに含まれる音声データあるいは映像データの伝送品質を測定する伝送品質測定装置であって、前記データパケットに含まれる音声データあるいは映像データの基準データを予め記憶する基準データ記憶手段と、前記基準データを用いて生成されたデータパケットを受信するデータパケット受信手段と、前記データパケット受信手段により前記データパケットを受信した場合に、当該データパケットに格納されている音声データあるいは映像データを蓄積するデータ蓄積手段と、前記基準データ記憶手段により記憶されている前記基準データに基づいて、前記データ蓄積手段により蓄積されている音声データあるいは映像データの中から、当該基準データに対応したデータ領域を特定するデータ特定手段と、前記データ特定手段により特定された前記データ領域に対応する音声データあるいは映像データと、前記基準データ記憶手段により記憶されている前記基準データとを比較して、当該音声データあるいは映像データの伝送品質を測定する伝送品質測定手段と、を備えたことを特徴とする。
【００１１】
また、請求項２に係る発明は、上記の発明において、各音声データあるいは各映像データを含んだデータパケットの送信順序を示す送信順序情報を記憶する送信順序情報記憶手段と、前記データ特定手段により特定された前記データ領域に対応する音声データあるいは映像データと、前記送信順序情報記憶手段により記憶されている前記送信順序情報とに基づいて、前記データパケットの欠落部分を検出する欠落部分検出手段をさらに備えたことを特徴とする。
【００１２】
また、請求項３に係る発明は、上記の発明において、前記データ特定手段により特定された前記データ領域に対応する音声データあるいは映像データと、前記基準データ記憶手段により記憶されている前記基準データとの差を検出する検出手段をさらに備えたことを特徴とする。
【００１３】
また、請求項４に係る発明は、ネットワークを介して受信されたデータパケットに含まれる音声データあるいは映像データの伝送品質を測定する伝送品質測定方法であって、前記データパケットに含まれる音声データあるいは映像データの基準データを記憶部に記憶する基準データ記憶工程と、前記基準データを用いて生成されたデータパケットを受信するデータパケット受信工程と、前記データパケット受信工程により前記データパケットを受信した場合に、当該データパケットに格納されている音声データあるいは映像データを蓄積するデータ蓄積工程と、前記基準データ記憶工程により記憶部に記憶されている前記基準データに基づいて、前記データ蓄積工程により蓄積されている音声データあるいは映像データの中から、当該基準データに対応したデータ領域を特定するデータ特定工程と、前記データ特定工程により特定された前記データ領域に対応する音声データあるいは映像データと、前記基準データ記憶工程により記憶部に記憶されている前記基準データとを比較して、当該音声データあるいは映像データの伝送品質を測定する伝送品質測定工程と、を含んだことを特徴とする。
【００１４】
また、請求項５に係る発明は、ネットワークを介して、第一の伝送品質測定装置から音声データあるいは映像データを含んだデータパケットを送信し、第二の伝送品質測定装置において受信された当該データパケットに含まれる音声データあるいは映像データの伝送品質を測定する伝送品質測定システムであって、前記第一の伝送品質測定装置は、前記データパケットに含まれる音声データあるいは映像データの基準データを記憶する基準データ記憶手段と、前記基準データ記憶手段により基準データとして記憶されている音声データあるいは映像データを用いて、前記データパケットを生成するデータパケット生成手段と、前記データパケット生成手段により生成された前記データパケットを送信するデータパケット送信手段と、を備え、前記第二の伝送品質測定装置は、前記データパケットに含まれる音声データあるいは映像データの基準データを記憶する基準データ記憶手段と、前記第一の伝送品質測定装置から送信された前記データパケットを受信するデータパケット受信手段と、前記データパケット受信手段により前記データパケットを受信した場合に、当該データパケットに格納されている音声データあるいは映像データを蓄積するデータ蓄積手段と、前記基準データ記憶手段により記憶されている前記基準データに基づいて、前記データ蓄積手段により蓄積されている音声データあるいは映像データの中から、当該基準データに対応したデータ領域を特定するデータ特定手段と、前記データ特定手段により特定された音声データあるいは映像データと、前記基準データ記憶手段により記憶されている前記基準データとを比較して、当該音声データあるいは映像データの伝送品質を測定する伝送品質測定手段と、を備えたことを特徴とする。
【発明の効果】
【００１５】
本発明によれば、データパケットとして受信される音声データあるいは映像データの基準データを予め記憶しておき、基準データを用いて生成されたデータパケットを受信した場合に、データパケットに格納されている音声データあるいは映像データを蓄積するとともに、蓄積されている音声データあるいは映像データについて、基準データに基づき、基準データに対応するデータ領域を特定し、特定された音声データあるいは映像データと記憶されている基準データとを比較して、音声データあるいは映像データの伝送品質を測定するので、アナログ網を経由してＩＰ網からＩＰ網へデータパケットとして音声データや映像データを中継する場合であっても、音声データや映像データの伝送品質を測定することが可能である。
【００１６】
また、本発明によれば、各音声データあるいは各映像データを含んだデータパケットの送信順序を示す送信順序情報を記憶しておき、蓄積された音声データあるいは映像データの中から、基準データに基づき特定されたデータ領域に対応する音声データあるいは映像データと、記憶されている送信順序情報とに基づいて、データパケットの欠落部分を検出するので、アナログ網を経由してＩＰ網からＩＰ網へデータパケットとして音声データや映像データを中継する場合であっても、パケットロスを検出することが可能である。
【００１７】
また、本発明によれば、蓄積された音声データにおいて、基準データに基づき特定されたデータ領域に対応する音声データと、記憶されている基準データとの差を検出するので、アナログ網を経由してＩＰ網からＩＰ網へデータパケットとして音声データや映像データを中継する場合であっても、受信パケットに含まれる各音声データの間隔の肥大や受信パケットに含まれる音声データ成分自体の肥大であるゆらぎを検出することが可能である。
【発明を実施するための最良の形態】
【００１８】
以下に添付図面を参照して、本発明に係る伝送品質測定装置、伝送品質測定方法および伝送品質測定システムの実施例を詳細に説明する。なお、以下では、本発明に係る伝送品質測定装置を実施例１として説明した後に、本発明に含まれる他の実施例を説明する。
【実施例１】
【００１９】
以下の実施例１では、実施例１に係る伝送品質測定装置の概要および特徴、伝送品質測定装置の構成および処理を順に説明し、最後に実施例１による効果を説明する。
【００２０】
［伝送品質測定装置の概要および特徴（実施例１）］
まず最初に、図１〜図３を用いて、実施例１に係る伝送品質測定装置の概要および特徴を説明する。図１は、実施例１に係る伝送品質測定装置を適用した伝送品質測定システムを示す図であり、図２は、実施例１に係る伝送品質測定装置の概要および特徴を説明するための図であり、図３は、音声データの切り出し例を示す図である。
【００２１】
実施例１に係る伝送品質測定装置は、ネットワークを介して受信されたデータパケットに含まれる音声データあるいは映像データの伝送品質を測定することを概要とするが、アナログ網を経由してＩＰ網からＩＰ網へデータパケットとして音声データや映像データを中継する場合であっても、音声データや映像データの伝送品質を測定することが可能である点に主たる特徴がある。
【００２２】
この主たる特徴について具体的に説明する。まず、図１を用いて、実施例１に係る伝送品質測定装置を適用した伝送品質測定システムの構成を説明する。この伝送品質測定システムは、例えば、各々が一対の伝送品質測定装置１０、２０と、メディア装置３０と、エンド側装置４０とで構成され、ＩＰ網１、アナログ網２およびゲートウェイ５０を介して、データパケットを送受信することが可能な状態に接続される。
【００２３】
メディア装置３０は、音声データや映像データを含んだデータパケットを送受信する装置である。エンド側装置４０は、メディア装置３０とＩＰ網との接続を仲介し、例えば、ＡＤＳＬモデム、ＡＤＳＬルータ若しくは同等の機能を有する装置である。ゲートウェイ５０は、ＩＰ網１とアナログ網２との間に位置し、ディジタル／アナログ変換やアナログ／ディジタル変換を行うためのコーディック機能を有する装置である。
【００２４】
そして、実施例１に係る伝送品質測定装置１０、２０は、例えば、送信側と受信側の一対で構成され、メディア装置３０から送信されるデータパケットに擬似した試験パケットを送受信することにより、試験パケットに含まれる音声データあるいは映像データの伝送品質を測定する。
【００２５】
具体的に説明すると、図２に示すように、伝送品質測定装置１０は、ヘッダおよびペイロードから構成される試験パケットを伝送品質測定装置２０に送信する。ここで、試験パケットのヘッダには、「ペイロードタイプ」、「シーケンス番号」や「同期送信元識別子」などの情報が格納され、ペイロードには、予め記憶されている基準データを用いて生成された音声データ（例えば、「ド」・「レ」・「ミ」の信号データ）が格納される。
【００２６】
伝送品質測定装置２０は、伝送品質測定装置１０から試験パケットを受信すると（図２の（１）参照）、試験パケットのペイロードから音声データを抽出するとともに（図２の（２）参照）、抽出した音声データを予め設定された所定の制限量までキューイングする（図２の（３）参照）。
【００２７】
そして、音声データのキューイング量を監視して、キューイングされた音声データが所定の制限量に到達した場合には、伝送品質測定装置２０は、キューイングした音声データをアナログ信号に変換して、予め記憶している基準データ（例えば、信号データ）に基づいて、基準データに対応する部分を切り出す（図２の（４）参照）。具体的には、図３に例示するように、所定の制限量までキューイングされてアナログ信号に変換された音声データに対して、予め記憶している基準データをそれぞれ当てはめて、基準データと一致、あるいは所定の一致度を示す部分（例えば、「ド」の信号データ）を切り出す。なお、一致度の判定は、パターンマッチングやテンプレートマッチングなど、一致度を判定するための公知の技術を利用して実施する。
【００２８】
音声データの切り出し後、伝送品質測定装置２０は、切り出した音声データと、これに対応する基準データとを比較して、国際電気通信連合（Ｉｎｔｅｒｎａｔｉｏｎａｌ  Ｔｅｌｅｃｏｍｕｎｉｃａｔｉｏｎ  Ｕｎｉｏｎ：ＩＴＵ）のＩＴＵ標準、ＩＴＵ−Ｇ．１０７や、社団法人情報通信技術委員会（Ｔｅｌｅｃｏｍｕｎｉｃａｔｉｏｎ  Ｔｅｃｈｎｏｌｏｇｙ  Ｃｏｍｍｉｔｔｅｅ：ＴＴＣ）のＴＴＣ標準、ＪＪ−２０１．０１により伝送品質を測定する（図２の（５）参照）。
【００２９】
このようなことから、実施例１に係る伝送品質測定装置は、アナログ網を経由してＩＰ網からＩＰ網へデータパケットとして音声データや映像データを中継する場合であっても、音声データや映像データの伝送品質を測定することが可能である。
【００３０】
［伝送品質測定装置の構成（実施例１）］
次に、図４を用いて、実施例１に係る伝送品質測定装置の構成を説明する。図４は、実施例１に係る伝送品質測定装置１０の構成を示すブロック図である。なお、上述した伝送品質測定装置１０と伝送品質測定装置２０とは同様の機能を有する装置であるため、以下では、伝送品質測定装置１０の構成について説明する。
【００３１】
同図に示すように、この伝送品質測定装置１０は、入力部１１と、出力部１２と、基準データデータベース１３と、試験パケット送信機能１４と、試験パケット受信機能１５とから構成される。
【００３２】
このうち、入力部１１は、各種の情報の入力を受付ける入力受付部であり、キー操作部などを備えて構成され、例えば、ユーザから伝送品質の試験開始指示などを受け付けて入力する。また、出力部１２は、各種の情報を出力する出力部であり、モニタ（若しくはディスプレイ、タッチパネル）やスピーカなどを備えて構成され、例えば、伝送品質の測定結果を出力する。
【００３３】
基準データデータベース１３は、試験パケット送信機能１４や試験パケット受信機能１５による各種処理に必要なデータ等を記憶する記憶部であり、具体的には、試験パケットの生成や伝送品質の測定に用いる基準データ（例えば、「ド」・「レ」・「ミ」などの音声の信号データ）を記憶して構成される。
【００３４】
試験パケット送信機能１４は、所定の制御プログラム、各種の処理手順などを規定したプログラムおよび所要データを格納するための内部メモリを有し、これらによって種々の処理を実行する処理部であり、特に本発明に密接に関連するものとしては、シグナリングスタック部１４ａと、送信パケット編集部１４ｂと、送信制御部１４ｃとを備える。
【００３５】
このうち、シグナリングスタック部１４ａは、試験パケットについて受信側装置に対するシグナリング処理を行う処理部であり、例えば、ＳＩＰ（Ｓｅｓｓｉｏｎ  Ｉｎｖｉｔａｔｉｏｎ  Ｐｒｏｔｏｃｏｌ）などの通信制御プロトコルに基づいた処理を行う。
【００３６】
送信パケット編集部１４ｂは、基準データデータベース１３に記憶されている基準データを用いて試験パケットの生成を行う処理部であり、具体的には、図５に例示するように、音声データや映像データをストリーミング再生するためのＲＴＰ（Ｒｅａｌ−Ｔｉｍｅ  Ｔｒａｓｐｏｒｔ  Ｐｒｏｔｏｃｏｌ）などの伝送プロトコルを用いて生成したヘッダ（ＲＴＰヘッダ）およびペイロード（ＲＴＰペイロード）からなる試験パケットを生成する。なお、ペイロードには、基準データデータベース１３に記憶されている基準データが格納される。
【００３７】
送信制御部１４ｃは、送信パケット編集部１４ｂにより生成された試験パケットを受信側装置へ送信制御する処理部である。
【００３８】
試験パケット受信機能１５は、所定の制御プログラム、各種の処理手順などを規定したプログラムおよび所要データを格納するための内部メモリを有し、これらによって種々の処理を実行する処理部であり、特に本発明に密接に関連するものとしては、受信制御部１５ａと、受信パケット編集部１５ｂと、品質解析部１５ｃとを備える。
【００３９】
このうち、受信制御部１５ａは、送信側装置から送信された試験パケットを受信制御する処理部である。
【００４０】
受信パケット編集部１５ｂは、受信制御部により受信された試験パケットについて編集処理を行う処理部である。具体的には、試験パケットのペイロードから音声データを抽出するとともに、抽出した音声データを予め設定された所定の制限量まで内部的なバッファなどにキューイングする。そして、音声データのキューイング量を監視して、キューイングされた音声データが所定の制限量に到達した場合には、キューイングした音声データをアナログ信号に変換して、基準データデータベース１３に予め記憶されている基準データ（例えば、信号データ）に基づいて、基準データに対応する部分を切り出す。
【００４１】
キューイングした音声データの切り出しについて詳細に説明すると、図３に例示するように、所定の制限量までキューイングされてアナログ信号に変換された音声データに対して、予め記憶している基準データをそれぞれ当てはめて、基準データと一致、あるいは所定の一致度を示す部分（例えば、「ド」の信号データ）を切り出す。なお、一致度の判定は、パターンマッチングやテンプレートマッチングなど、一致度を判定するための公知の技術を利用して実施する。
【００４２】
なお、試験パケットのペイロードから予め設定された所定の制限量までキューイングした音声データを切り出す場合に限られるものではなく、例えば、図６に例示するように、試験パケットのペイロードから音声データを全てキューイングしてから、基準データに対応する部分（例えば、「ド」・「レ」・「ミ」の各信号データ）を切り出すようにしてもよい。
【００４３】
品質解析部１５ｃは、受信パケット編集部１５ｂにより処理された試験パケットについて伝送品質の測定を行う処理部であり、具体的には、受信パケット編集部１５ｂにより切り出された音声データと、これに対応する基準データとを比較して、国際電気通信連合（Ｉｎｔｅｒｎａｔｉｏｎａｌ  Ｔｅｌｅｃｏｍｕｎｉｃａｔｉｏｎ  Ｕｎｉｏｎ：ＩＴＵ）のＩＴＵ標準、ＩＴＵ−Ｇ．１０７や、社団法人情報通信技術委員会（Ｔｅｌｅｃｏｍｕｎｉｃａｔｉｏｎ  Ｔｅｃｈｎｏｌｏｇｙ  Ｃｏｍｍｉｔｔｅｅ：ＴＴＣ）のＴＴＣ標準、ＪＪ−２０１．０１により伝送品質を測定する。
【００４４】
［伝送品質測定処理（実施例１）］
続いて、図７を用いて、実施例１に係る伝送品質測定装置の処理を説明する。図７は、実施例１に係る伝送品質測定処理の流れを示すフローチャートである。なお、以下では、試験パケットの送信側装置として伝送品質測定装置１０を採用し、試験パケットの受信側装置として伝送品質測定装置２０を採用する場合の処理の流れについて説明する。
【００４５】
同図に示すように、入力部１１において、ユーザから伝送品質の試験開始指示などを受け付けると（ステップＳ７０１肯定）、伝送品質測定装置１０は、試験パケットについて受信側装置に対するシグナリング処理を行うとともに、基準データデータベース１３に記憶されている基準データを用いて試験パケットの生成を行って、生成した試験パケットを受信側の伝送品質測定装置２０へ送信する（ステップＳ７０２）。
【００４６】
伝送品質測定装置２０は、試験パケットを受信すると（ステップＳ７０３）、試験パケットのペイロードから音声データを抽出するとともに、抽出した音声データを予め設定された所定の制限量まで内部的なバッファなどにキューイングする（ステップＳ７０４）。
【００４７】
そして、伝送品質測定装置２０は、音声データのキューイング量を監視して（ステップＳ７０５）、キューイングされた音声データが所定の制限量に到達した場合には（ステップＳ７０５肯定）、キューイングした音声データをアナログ信号に変換して、基準データデータベース１３に予め記憶されている基準データ（例えば、信号データ）に基づいて、基準データに対応する部分を切り出す（ステップＳ７０６）。
【００４８】
キューイングした音声データの切り出しについて詳細に説明すると、図３に例示するように、所定の制限量までキューイングされてアナログ信号に変換された音声データに対して、予め記憶している基準データをそれぞれ当てはめて、基準データと一致、あるいは所定の一致度を示す部分（例えば、「ド」の信号データ）を切り出す。なお、一致度の判定は、パターンマッチングやテンプレートマッチングなど、一致度を判定するための公知の技術を利用して実施する。
【００４９】
伝送品質測定装置２０は、切り出された音声データと、これに対応する基準データとを比較して、国際電気通信連合（Ｉｎｔｅｒｎａｔｉｏｎａｌ  Ｔｅｌｅｃｏｍｕｎｉｃａｔｉｏｎ  Ｕｎｉｏｎ：ＩＴＵ）のＩＴＵ標準、ＩＴＵ−Ｇ．１０７や、社団法人情報通信技術委員会（Ｔｅｌｅｃｏｍｕｎｉｃａｔｉｏｎ  Ｔｅｃｈｎｏｌｏｇｙ  Ｃｏｍｍｉｔｔｅｅ：ＴＴＣ）のＴＴＣ標準、ＪＪ−２０１．０１により伝送品質を測定する（ステップＳ７０７）。
【００５０】
このようなことから、実施例１によれば、試験パケットとして受信される音声データの基準データを予め記憶しておき、基準データを用いて生成された試験パケットを受信した場合に、試験パケットに格納されている音声データをキューイングするとともに、キューイングされている音声データの中から、基準データに基づき、基準データに対応する部分を切り出して、切り出された音声データと記憶されている基準データとを比較して、音声データの伝送品質を測定するので、アナログ網を経由してＩＰ網からＩＰ網へデータパケットとして音声データや映像データを中継する場合であっても、音声データや映像データの伝送品質を測定することが可能である。
【実施例２】
【００５１】
さて、これまで本発明の実施例について説明したが、本発明は上述した実施例以外にも、種々の異なる形態にて実施されてよいものである。そこで、以下では、本発明に含まれる他の実施例を説明する。
【００５２】
（１）パケットロスの検出
上記の実施例１において、受信された試験パケットのパケットロスを検出するようにしてもよい。具体的に説明すると、例えば、図８に例示するように、受信側の伝送品質測定装置において、音声データを含んだ試験パケットの送信順序を示す送信順序情報である試験シナリオ（例えば、音声データを「ド・レ・ミ」の順序で送信することを示す情報）を記憶しておき、キューイングされた音声データの中から、基準データに基づき特定されたデータ領域に対応する音声データ（例えば、「ド」と「ミ」）と、記憶されている試験シナリオとに基づいて、データパケットの欠落部分（例えば、「レ」）であるパケットロスを検出する。
【００５３】
このように、アナログ網を経由してＩＰ網からＩＰ網へデータパケットとして音声データや映像データを中継する場合であっても、パケットロスを検出することが可能である。
【００５４】
（２）ゆらぎの検出
上記の実施例１において、受信した試験パケットに含まれる音声データのゆらぎを検出するようにしてもよい。ここで、「ゆらぎ」とは、受信パケットに含まれる各音声データの間隔の肥大や受信パケットに含まれる音声データ成分自体の肥大である。
【００５５】
具体的に説明すると、図９に示すように、受信した試験パケットから特定された音声データ（例えば、「ファ」および「ソ」）と、切り出しなどを行うことにより、キューイングされた音声データから特定された音声データに対応する送信時点の試験パケットに含まれる音声データ（すなわち、基準データデータベース１３に記憶されている基準データと同一の「ファ」および「ソ」）との差を検出することにより、受信パケットに含まれる各音声データの間隔の肥大であるゆらぎを検出する。
【００５６】
また同様に、図１０に示すよう、受信した試験パケットから特定された音声データ（例えば、「ラ」および「シ」）と、切り出しなどを行うことにより、キューイングされた音声データから特定されたデータに対応する送信時点の試験パケットに含まれる音声データ（すなわち、基準データデータベース１３に記憶されている基準データと同一の「ラ」および「シ」）との差を検出することにより、受信パケットに含まれる音声データ成分自体の肥大であるゆらぎを検出する。
【００５７】
このように、アナログ網を経由してＩＰ網からＩＰ網へデータパケットとして音声データや映像データを中継する場合であっても、受信パケットに含まれる各音声データの間隔の肥大や受信パケットに含まれる音声データ成分自体の肥大であるゆらぎを検出することが可能である。
【００５８】
（３）装置構成等
また、図４に示した伝送品質測定装置１０の各構成要素は機能概念的なものであり、必ずしも物理的に図示の如く構成されていることを要しない。すなわち、伝送品質測定装置１０の分散・統合の具体的形態は図示のものに限られず、試験パケット送信機能１４および試験パケット受信機能１５を分散するなど、その全部または一部を、各種の負荷や使用状況などに応じて、任意の単位で機能的または物理的に分散・統合して構成することができる。さらに、伝送品質測定装置１０にて行なわれる各処理機能（試験パケット送信処理機能および試験パケット受信処理機能、図７参照）は、その全部または任意の一部が、ＣＰＵおよび当該ＣＰＵにて解析実行されるプログラムにて実現され、あるいは、ワイヤードロジックによるハードウェアとして実現され得る。
【００５９】
（４）伝送品質測定処理プログラム
ところで、上記の実施例１で説明した伝送品質測定装置１０に係る各種の処理（例えば、図７等参照）は、あらかじめ用意されたプログラムをパーソナルコンピュータやワークステーションなどのコンピュータシステムで実行することによって実現することができる。そこで、以下では、図１１を用いて、上記の実施例１で説明した伝送品質測定装置１０の試験パケット受信処理機能１５と同様の機能を有する伝送品質測定処理プログラムを実行するコンピュータの一例を説明する。図１１は、伝送品質測定処理プログラムを実行するコンピュータを示す図である。
【００６０】
まず、図１１に示すように、コンピュータ６０は、入力部６１、出力部６２、ＨＤＤ６３、ＲＡＭ６４、ＲＯＭ６５およびＣＰＵ６６をバス７０で接続して構成される。なお、入力部６１および出力部６２は、図４に示した伝送品質測定装置１０の入力部１１および出力部１２にそれぞれ対応する。
【００６１】
そして、ＲＯＭ６５には、上記の実施例１に示した伝送品質測定装置１０の試験パケット受信処理機能１５と同様の機能を発揮する伝送品質測定処理プログラム、つまり、図１１に示すように、受信制御プログラム６５ａ、受信パケット編集プログラム６５ｂおよび品質解析プログラム６５ｃがあらかじめ記憶されている。なお、これらのプログラム６５ａ、６５ｂおよび６５ｃについては、図４に示した伝送品質測定装置１０の各構成要素と同様、適宜統合または分散してもよい。なお、ＲＯＭ６５は、不揮発性の「ＲＡＭ」でもよい。
【００６２】
そして、ＣＰＵ６６が、これらのプログラム６５ａ、６５ｂおよび６５ｃをＲＯＭ６５から読み出して実行することで、図１１に示すように、各プログラム６５ａ、６５ｂおよび６５ｃは、受信制御プロセス６６ａ、受信パケット編集プロセス６６ｂおよび品質解析プロセス６６ｃとして機能するようになる。なお、各プロセス６６ａ、６６ｂおよび６６ｃは、図４に示した伝送品質測定装置１０の試験パケット受信処理機能１５の受信制御部１５ａ、受信パケット編集部１５ｂおよび品質解析部１５ｃにそれぞれ対応する。
【００６３】
また、ＨＤＤ６３には、図１１に示すように、基準データテーブル６３ａが設けられる。この基準データテーブル６３ａは、図２に示した基準データデータベース１３に対応する。そして、ＣＰＵ６６は、基準データテーブル６３ａから基準データ６４ａを読み出してＲＡＭ６４に格納し、ＲＡＭ６４に格納された基準データ６４ａに基づいて伝送品質測定処理を実行する。
【００６４】
なお、上記した各プログラム６５ａ、６５ｂおよび６５ｃについては、必ずしも最初からＲＯＭ６５に記憶させておく必要はなく、例えば、コンピュータ６０に挿入されるフレキシブルディスク（ＦＤ）、ＣＤ−ＲＯＭ、ＤＶＤディスク、光磁気ディスク、ＩＣカードなどの「可搬用の物理媒体」、または、コンピュータ６０の内外に備えられるＨＤＤなどの「固定用の物理媒体」、さらには、公衆回線、インターネット、ＬＡＮ、ＷＡＮなどを介してコンピュータ６０に接続される「他のコンピュータ（またはサーバ）」などに各プログラムを記憶させておき、コンピュータ６０がこれらから各プログラムを読み出して実行するようにしてもよい。
【００６５】
（付記１）ネットワークを介して受信されたデータパケットに含まれる音声データあるいは映像データの伝送品質を測定する伝送品質測定装置であって、
前記データパケットに含まれる音声データあるいは映像データの基準データを記憶する基準データ記憶手段と、
前記基準データを用いて生成されたデータパケットを受信するデータパケット受信手段と、
前記データパケット受信手段により前記データパケットを受信した場合に、当該データパケットに格納されている音声データあるいは映像データを蓄積するデータ蓄積手段と、
前記基準データ記憶手段により記憶されている前記基準データに基づいて、前記データ蓄積手段により蓄積されている音声データあるいは映像データの中から、当該基準データに対応したデータ領域を特定するデータ特定手段と、
前記データ特定手段により特定された前記データ領域に対応する音声データあるいは映像データと、前記基準データ記憶手段により記憶されている前記基準データとを比較して、当該音声データあるいは映像データの伝送品質を測定する伝送品質測定手段と、
を備えたことを特徴とする伝送品質測定装置。
【００６６】
（付記２）各音声データあるいは各映像データを含んだデータパケットの送信順序を示す送信順序情報を記憶する送信順序情報記憶手段と、
前記データ特定手段により特定された前記データ領域に対応する音声データあるいは映像データと、前記送信順序情報記憶手段により記憶されている前記送信順序情報とに基づいて、前記データパケットの欠落部分を検出する欠落部分検出手段をさらに備えたことを特徴とする付記１に記載の伝送品質測定装置。
【００６７】
（付記３）前記データ特定手段により特定された前記データ領域に対応する音声データと、前記基準データ記憶手段により記憶されている前記基準データとの差を検出する検出手段をさらに備えたことを特徴とする付記１に記載の伝送品質測定装置。
【００６８】
（付記４）ネットワークを介して受信されたデータパケットに含まれる音声データあるいは映像データの伝送品質を測定する伝送品質測定方法であって、
前記データパケットに含まれる音声データあるいは映像データの基準データを記憶部に記憶する基準データ記憶工程と、
前記基準データを用いて生成されたデータパケットを受信するデータパケット受信工程と、
前記データパケット受信工程により前記データパケットを受信した場合に、当該データパケットに格納されている音声データあるいは映像データを蓄積するデータ蓄積工程と、
前記基準データ記憶工程により記憶部に記憶されている前記基準データに基づいて、前記データ蓄積工程により蓄積されている音声データあるいは映像データの中から、当該基準データに対応したデータ領域を特定するデータ特定工程と、
前記データ特定工程により特定された前記データ領域に対応する音声データあるいは映像データと、前記基準データ記憶工程により記憶部に記憶されている前記基準データとを比較して、当該音声データあるいは映像データの伝送品質を測定する伝送品質測定工程と、
を含んだことを特徴とする伝送品質測定方法。
【００６９】
（付記５）ネットワークを介して受信されたデータパケットに含まれる音声データあるいは映像データの伝送品質を測定する方法をコンピュータに実行させる伝送品質測定プログラムであって、
前記データパケットに含まれる音声データあるいは映像データの基準データを記憶部に記憶する基準データ記憶手順と、
前記基準データを用いて生成されたデータパケットを受信するデータパケット受信手順と、
前記データパケット受信手順により前記データパケットを受信した場合に、当該データパケットに格納されている音声データあるいは映像データを蓄積するデータ蓄積手順と、
前記基準データ記憶手順により記憶部に記憶されている前記基準データに基づいて、前記データ蓄積手順により蓄積されている音声データあるいは映像データにおいて、当該基準データに対応したデータ領域を特定するデータ特定手順と、
前記データ特定手順により特定された前記データ領域に対応する音声データあるいは映像データと、前記基準データ記憶手順により記憶部に記憶されている前記基準データとを比較して、当該音声データあるいは映像データの伝送品質を測定する伝送品質測定手順と、
をコンピュータに実行させることを特徴とする伝送品質測定プログラム。
【００７０】
（付記６）ネットワークを介して、第一の伝送品質測定装置から音声データあるいは映像データを含んだデータパケットを送信し、第二の伝送品質測定装置において受信された当該データパケットに含まれる音声データあるいは映像データの伝送品質を測定する伝送品質測定システムであって、
前記第一の伝送品質測定装置は、
前記データパケットに含まれる音声データあるいは映像データの基準データを記憶する基準データ記憶手段と、
前記基準データ記憶手段により基準データとして記憶されている音声データあるいは映像データを用いて、前記データパケットを生成するデータパケット生成手段と、
前記データパケット生成手段により生成された前記データパケットを送信するデータパケット送信手段と、
を備え、
前記第二の伝送品質測定装置は、
前記データパケットに含まれる音声データあるいは映像データの基準データを記憶する基準データ記憶手段と、
前記第一の伝送品質測定装置から送信された前記データパケットを受信するデータパケット受信手段と、
前記データパケット受信手段により前記データパケットを受信した場合に、当該データパケットに格納されている音声データあるいは映像データを蓄積するデータ蓄積手段と、
前記基準データ記憶手段により記憶されている前記基準データに基づいて、前記データ蓄積手段により蓄積されている音声データあるいは映像データの中から、当該基準データに対応したデータ領域を特定するデータ特定手段と、
前記データ特定手段により特定された音声データあるいは映像データと、前記基準データ記憶手段により記憶されている前記基準データとを比較して、当該音声データあるいは映像データの伝送品質を測定する伝送品質測定手段と、
を備えたことを特徴とする伝送品質測定システム。
【００７１】
（付記７）各音声データあるいは各映像データを含んだデータパケットの送信順序を示す送信順序情報を記憶部に記憶する送信順序情報記憶工程と、
前記データ特定工程により特定された前記データ領域に対応する音声データあるいは映像データと、前記送信順序情報記憶工程により記憶部に記憶されている前記送信順序情報とに基づいて、前記データパケットの欠落部分を検出する欠落部分検出工程をさらに含んだことを特徴とする付記４に記載の伝送品質測定方法。
【００７２】
（付記８）前記データ特定工程により特定された前記データ領域に対応する音声データと、前記基準データ記憶工程により記憶部に記憶されている前記基準データとの差を検出する検出工程をさらに含んだことを特徴とする付記４に記載の伝送品質測定方法。
【産業上の利用可能性】
【００７３】
以上のように、本発明に係る伝送品質測定装置、伝送品質測定方法および伝送品質測定システムは、ネットワークを介して受信されたデータパケットに含まれる音声データあるいは映像データの伝送品質を測定する場合等に有用であり、特に、アナログ網を経由してＩＰ網からＩＰ網へデータパケットとして音声データや映像データを中継する場合であっても、音声データや映像データの伝送品質やパケットロスを測定することに適する。
【図面の簡単な説明】
【００７４】
【図１】実施例１に係る伝送品質測定装置を適用した伝送品質測定システムを示す図である。
【図２】実施例１に係る伝送品質測定装置の概要および特徴を説明するための図である。
【図３】音声データの切り出し例を示す図である。
【図４】実施例１に係る伝送品質測定装置の構成を示すブロック図である。
【図５】試験パケットの構成例を示す図である。
【図６】音声データの切り出し例を示す図である。
【図７】実施例１に係る伝送品質測定処理の流れを示すフローチャートである。
【図８】パケットロスの一例を示す図である。
【図９】特定した音声データ成分の間隔の肥大例を示す図である。
【図１０】特定した音声データ成分自体の肥大例を示す図である。
【図１１】伝送品質測定処理プログラムを実行するコンピュータを示す図である。
【図１２】従来技術の課題を説明するための図である。
【符号の説明】
【００７５】
１  ＩＰ網
２  アナログ網
１０、２０  伝送品質測定装置
１１  入力部
１２  出力部
１３  基準データデータベース
１４  試験パケット送信機能
１４ａ  シグナリングスタック部
１４ｂ  送信パケット編集部
１４ｃ  送信制御部
１５  試験パケット受信機能
１５ａ  受信制御部
１５ｂ  受信パケット編集部
１５ｃ  品質解析部
３０  メディア装置
４０  エンド側装置
５０  ゲートウェイ
６０  コンピュータ
６１  入力部
６２  出力部
６３  ＨＤＤ（Hard Disk Drive）
６４  ＲＡＭ（Random Access Memory）
６５  ＲＯＭ（Read Only Memory）
６６  ＣＰＵ（Central Processing Unit）
７０  バス
【図１】
2008167071.tif 000003
【図２】
2008167071.tif 000004
【図３】
2008167071.tif 000005
【図４】
2008167071.tif 000006
【図５】
2008167071.tif 000007
【図６】
2008167071.tif 000008
【図７】
2008167071.tif 000009
【図８】
2008167071.tif 000010
【図９】
2008167071.tif 000011
【図１０】
2008167071.tif 000012
【図１１】
2008167071.tif 000013
【図１２】
2008167071.tif 000014